(57)【要約】【課題】装置の大型化を抑制しながら、漏れた液体を吸収して装置外への漏出を防止できる画像記録装置を提供すること。【解決手段】プリンタ１０は、インクを貯留するブラックタンク１８と、ブラックタンク１８の下方に配置され、インクを吸収するブラックタンク吸収体２７と、ブラックタンク１から供給されたインクを吐出する記録部２０と、記録部２０の下方に配置され、インクを吸収する記録部吸収体２９と、ブラックタンク吸収体２７が載置されるブラックタンク載置面６１、記録部吸収体２９が載置される記録部載置面６３、及び、当該ブラックタンク載置面６１と当該記録部載置面６３との間でインクを流通する左接続面６５を有する下カバー１３と、を具備する。【選択図】図４
2018122505.tif 000002
【特許請求の範囲】
【請求項１】
液体を貯留する液体貯留部と、
上記液体貯留部の下方に配置され、上記液体を吸収する第１吸収体と、
上記液体貯留部から供給された上記液体を吐出する記録部と、
上記記録部の下方に配置され、上記液体を吸収する第２吸収体と、
上記第１吸収体が載置される第１載置面、上記第２吸収体が載置される第２載置面、及び、当該第１載置面と当該第２載置面との間で上記液体を流通する第１流路を有する下カバーと、を具備する画像記録装置。
【請求項２】
上記第１載置面は、上記第２載置面よりも上方に位置しており、
上記第１流路は、上記第１載置面から上記第２載置面へ向かって下方へ傾斜している請求項１に記載の画像記録装置。
【請求項３】
上記第２吸収体の体積は、上記第１吸収体の体積よりも大きい請求項１又は２に記載の画像記録装置。
【請求項４】
上記第１流路に、上記液体を吸収する第１補助吸収体が設けられている請求項１から３のいずれかに記載の画像記録装置。
【請求項５】
上記記録部に記録媒体を搬送する給送部と、
上記給送部の下方に配置され、上記液体を吸収する第３吸収体と、を更に具備しており、
上記下カバーは、上記第３吸収体が載置される第３載置面と、上記第１載置面又は上記第２載置面と上記第３載置面との間で上記液体を流通する第２流路と、を有している請求項１から４のいずれかに記載の画像記録装置。
【請求項６】
上記第１載置面は、上記第３載置面より前方に位置しており、
上記第２載置面は、上記第１載置面と上記第３載置面との間に位置する請求項５に記載の画像記録装置。
【請求項７】
上記第３吸収体の体積は、上記第１吸収体及び上記第２吸収体の体積よりも大きい請求項５又は６に記載の画像記録装置。
【請求項８】
上記第２流路に、上記液体を吸収する第２補助吸収体が設けられている請求項５から７のいずれかに記載の画像記録装置。
【請求項９】
上記液体貯留部は、上記液体を補充可能なタンクである請求項１から８のいずれかに記載の画像記録装置。
【発明の詳細な説明】
【技術分野】
【０００１】
本発明は、インクを貯留可能な液体貯留部を備えた画像記録装置に関する。
【背景技術】
【０００２】
従来、インクを貯留可能な液体貯留部と、インクタンクから供給されたインクを吐出して印字を行う記録部と、を備えたプリンタが知られている（例えば、特許文献１参照）。
【０００３】
上記プリンタは、当該プリンタの底面全体に取り付けられたインク回収部を備えている。インク回収部は、矩形の下ケースと、下ケースに取り付けられているインク吸収体とを備えている。このインク吸収体は、インクを吸収保持可能な多孔質素材から形成された偏平な板である。
【先行技術文献】
【特許文献】
【０００４】
【特許文献１】特開２００７−１６０８２５号公報
【発明の概要】
【発明が解決しようとする課題】
【０００５】
上記プリンタでは、インク吸収体がプリンタの底面全体に取り付けられている。インク吸収体は、インクタンク及び記録部のようなインクが漏れる虞のある場所の下方だけで無く、インクが漏れる虞が無い場所の下方にも配置されている。そのため、インク吸収体の収納スペースを確保するために設計の自由度が損なわれたり、プリンタの小型化が困難になっていた。
【０００６】
本発明は、上記問題に鑑みてなされたものであり、その目的は、装置の大型化を抑制しながら、漏れた液体を吸収して装置外への漏出を防止できる画像記録装置を提供することである。
【課題を解決するための手段】
【０００７】
(1)  本発明に係る画像記録装置によれば、液体を貯留する液体貯留部と、上記液体貯留部の下方に配置され、上記液体を吸収する第１吸収体と、上記液体貯留部から供給された上記液体を吐出する記録部と、上記記録部の下方に配置され、上記液体を吸収する第２吸収体と、上記第１吸収体が載置される第１載置面、上記第２吸収体が載置される第２載置面、及び、当該第１載置面と当該第２載置面との間で上記液体を流通する第１流路を有する下カバーと、を具備する。
【０００８】
上記構成によれば、下カバーが第１流路を有しているので、液体貯留部から漏れた液体の量が多くなり、第１吸収体が吸収しきれない液体が溢れても、この溢れた液体が第１流路を伝って第２吸収体に到達して吸収される。第１吸収体及び第２吸収体が、液体貯留部から漏れた液体を吸収できるので、液体貯留部から漏れた液体が画像記録装置の外部に漏出しない。また、第１吸収体及び第２吸収体は下カバーの一部に設けられるので、第１吸収体及び第２吸収体が配置されていない箇所には別の構成部品を配置することができる。その結果、下カバーの全体に吸収体が設けられる場合と比べて、画像記録装置の大型化が抑制される。
【０００９】
(2)  好ましくは、上記第１載置面は、上記第２載置面よりも上方に位置しており、上記第１流路は、上記第１載置面から上記第２載置面へ向かって下方へ傾斜している。
【００１０】
上記構成によれば、第１吸収体から溢れた液体が、重力により第１流路を伝って第１載置面から第２載置面へ向かって流れやすい。
【００１１】
(3)  好ましくは、上記第２吸収体の体積は、上記第１吸収体の体積よりも大きい。
【００１２】
(4)  好ましくは、上記第１流路に、上記液体を吸収する第１補助吸収体が設けられている。
【００１３】
上記構成によれば、第１吸収体から溢れた液体が、第２吸収体だけでなく第１補助吸収体にも吸収されうる。
【００１４】
(5)  好ましくは、上記記録部に記録媒体を搬送する給送部と、上記給送部の下方に配置され、上記液体を吸収する第３吸収体と、を更に具備しており、上記下カバーは、上記第３吸収体が載置される第３載置面と、上記第１載置面又は上記第２載置面と上記第３載置面との間で上記液体を流通する第２流路と、を有している。
【００１５】
上記構成によれば、液体貯留部から漏れた液体が第１吸収体から溢れても、この溢れた液体が第２吸収体だけでなく第３吸収体にも吸収される。
【００１６】
(6)  好ましくは、上記第１載置面は、上記第３載置面より前方に位置しており、上記第２載置面は、上記第１載置面と上記第３載置面との間に位置する。
【００１７】
(7)  好ましくは、上記第３吸収体の体積は、上記第１吸収体及び上記第２吸収体の体積よりも大きい。
【００１８】
(8)  好ましくは、上記第２流路に、上記液体を吸収する第２補助吸収体が設けられている。
【００１９】
上記構成によれば、第１吸収体から溢れた液体が、第２吸収体だけでなく第２補助吸収体にも吸収されうる。
【００２０】
(9)  好ましくは、上記液体貯留部は、上記液体を補充可能なタンクである。
【発明の効果】
【００２１】
本発明に係る画像記録装置は、装置の大型化が抑制されつつ、液体貯留部から漏れた液体を十分に吸収して装置外への漏出を防止できる。
【図面の簡単な説明】
【００２２】
【図１】図１は、本発明の第１実施形態に係るプリンタ１０のスキャナ部１２が閉じられた状態の斜視図である。
【図２】図２は、本発明の第１実施形態に係るプリンタ１０のスキャナ部１２が開かれた状態の斜視図である。
【図３】図３は、本発明の第１実施形態に係るブラックタンク１８及びブラックタンク吸収体２７の斜視図である。
【図４】図４は、本発明の第１実施形態に係る下カバー１３、ブラックタンク吸収体２７、３色タンク吸収体２８、記録部吸収体２９、及び給送部吸収体３０の平面図である。
【図５】図５は、本発明の第１実施形態に係る下カバー１３の平面図である。
【図６】図６は、図４のＶＩ−ＶＩ線断面図である。
【図７】図７は、本発明の第２実施形態に係る下カバー１３、ブラックタンク吸収体２７、３色タンク吸収体２８、記録部吸収体２９、及び給送部吸収体３０の平面図である。
【図８】図８は、図７のＶＩＩＩ−ＶＩＩＩ線断面図である。
【発明を実施するための形態】
【００２３】
以下、本発明の実施形態について説明する。なお、以下に説明される実施形態は本発明の一例にすぎず、本発明の要旨を変更しない範囲で、本発明の実施形態を適宜変更できることは言うまでもない。以下の説明では、プリンタ１０が使用可能に水平面に設置された姿勢（図１の姿勢であって、「使用姿勢」と表記することがある。）を基準として上下方向７が定義され、プリンタ１０の排紙トレイ１５が設けられている面を前面として前後方向８が定義され、プリンタ１０を前面から見て左右方向９が定義される。本実施形態では、使用姿勢において、上下方向７が鉛直方向に相当し、前後方向８及び左右方向９が水平方向に相当する。
【００２４】
［第１実施形態］
以下、本発明の第１実施形態が説明される。
【００２５】
［プリンタ１０の全体構成］
図１に示されるように、プリンタ１０（画像記録装置の一例）は、プリンタ部１１と、プリンタ部１１に開閉可能に設けられたスキャナ部１２と、を備えている。尚、スキャナ部１２は任意の構成である。プリンタ部１１は、下カバー１３及び上カバー１４を備えている。上カバー１４の前面には、前方に開口する空間が形成されている。この空間内に排紙トレイ１５が位置する。スキャナ部１２は、フラットベッドスキャナである。スキャナ部１２は、フラットベッドスキャナのプラテンを覆うカバー本体１６を有する。カバー本体１６には、画像記録が行われるシートが通過する給送路７１と、スキャナ部１２の上面において、給送路７１を開閉する給紙トレイ１７と、が設けられている。給紙トレイ１７は、カバー本体１６に重なるように回動された状態（図１に示される状態）において給送路７１を塞ぎ、カバー本体１６から後方へ突出するように回動された状態において、給送路７１を開放すると共に、その上面がシートを支持して給送路７１へ案内するトレイ面となる
【００２６】
図２に示されるように、プリンタ部１１は、下カバー１３及び上カバー１４により区画される内部空間に、ブラックタンク１８、３色タンク１９、記録部２０、及び給送部２１を備えている。ブラックタンク１８は、上カバー１４の前面の開口より左方に位置しており、３色タンク１９は、上カバー１４の前面の開口より右方に位置する。ブラックタンク１８は、ブラックインクを貯留するインクタンクである。３色タンク１９は、イエロー、マゼンタ、及びシアンの３色のインクをそれぞれ貯留する各貯留室を有するインクタンクである。記録部２０は、記録ヘッド２２と、記録ヘッド２２を左右方向９に案内するガイドレール２３と、を備えている。同図には示されていないが、記録ヘッド２２には、ブラックタンク１８からインクチューブを通じてブラックインクが供給されると共に、３色タンク１９から３本のインクチューブを通じて３色のインクがそれぞれ供給される。給送部２１は、不図示の給送ローラによって、給紙トレイ１７上のシートを、給送路７１を経由して記録部２０へ給送する。
【００２７】
図３に示されるように、ブラックタンク１８（液体を貯留する液体貯留部及び液体を補充可能なタンクの一例）は、タンク本体２４と、キャップ２５と、タンクカバー２６と、を備えている。タンク本体２４の内部には、ブラックインク（液体の一例）を貯留可能な貯留室が形成されている。同図には現れていないが、タンク本体２４の上面には、貯留室へブラックインクを補充するためのインク供給口が形成されている。タンク本体２４の後面には、貯留室から記録ヘッド２２へインクを供給するためのインク吐出口が形成されている。キャップ２５は、タンク本体２４のインク供給口に嵌合されることによって、インク供給口を液密に封止する。キャップ２５は、上方へ引き上げられることによって、インク供給口から離脱可能である。タンクカバー２６は、キャップ２５が嵌合された状態のタンク本体２４の上面を覆う位置と、キャップ２５を引き上げ可能にタンク本体２４の上面を外部へ露出する位置とに回動可能である。なお、３色タンク１９（液体を貯留する液体貯留部及び液体を補充可能なタンクの一例）については詳細な説明が省略されるが、３つの貯留室及びキャップを有することの他は、ブラックタンク１８と同様の構成である。
【００２８】
プリンタ１０は、ブラックタンク１８の下方に配置されたブラックタンク吸収体２７（第１吸収体の一例）を備えている。ブラックタンク吸収体２７は、インク等の液体を吸収可能且つ保持可能な材料で構成された平板形状のものである。ブラックタンク吸収体２７の材料は、例えば、不織布（ＰＵＬＰ）である。
【００２９】
図４に示されるように、下カバー１３の上面には、ブラックタンク吸収体２７、３色タンク吸収体２８（第１吸収体の一例）、記録部吸収体２９（第２吸収体の一例）、及び給送部吸収体３０（第３吸収体の一例）が配置されている。図４において、ブラックタンク吸収体２７、３色タンク吸収体２８、記録部吸収体２９、及び給送部吸収体３０は、下カバー１３と識別しやすくするために、格子状の模様が描かれている。
【００３０】
３色タンク吸収体２８、記録部吸収体２９、及び給送部吸収体３０は、いずれも、ブラックタンク吸収体２７と同様に、インク等の液体を吸収可能且つ保持可能な材料で構成された平板形状のものである。記録部吸収体２９の体積は、ブラックタンク吸収体２７の体積及び３色タンク吸収体２８の体積よりも大きい。そのため、記録部吸収体２９がインクを保持可能な量は、ブラックタンク吸収体２７及び３色タンク吸収体２８がインクを保持可能な量よりも大きい。給送部吸収体３０の体積は、記録部吸収体２９の体積よりも大きい。そのため、給送部吸収体３０がインクを保持可能な量は、記録部吸収体２９がインクを保持可能な量よりも大きい。なお、３色タンク吸収体２８、記録部吸収体２９、及び給送部吸収体３０は、必ずしも１枚の平板形状の部材でなくてもよく、例えば、複数枚の平板形状の部材が重ね合わされて構成されていてもよいし、また、複数個のブロック形状の部材が組み合わされて構成されていてもよい。
【００３１】
図４、図５に示されるように、下カバー１３は、前後方向８及び左右方向９に拡がる底壁３１と、底壁３１から上方に延びる複数の外壁３２−３６及び内壁３７−３９を備えている。外壁３２−３６及び内壁３７−３９の詳細については後述される。底壁３１は、平板形状であり、上下方向７から視た外形が矩形である。
【００３２】
図５に示されるように、底壁３１の上面は、ブラックタンク載置面６１（第１載置面の一例）、３色タンク載置面６２（第１載置面の一例）、記録部載置面６３（第２載置面の一例）、給送部載置面６４（第３載置面の一例）、左接続面６５、右接続面６６、及び後接続面６７を有する。
【００３３】
ブラックタンク載置面６１及び３色タンク載置面６２は、下カバー１３の前端部において、上カバー１４の開口に対応する領域の左方及び右方にそれぞれ位置する。つまり、ブラックタンク１８及び３色タンク１９のそれぞれの下方に位置する。記録部載置面６３は、下カバー１３の前後方向８及び左右方向９の中央部に位置する。つまり、記録ヘッド２２が移動する領域の下方に位置する。給送部載置面６４は、下カバー１３の後端部の左右方向９の中央部に位置している。つまり、給送路７１を封止する状態の給紙トレイ１７の下方に位置する。
【００３４】
底壁３１から上方に延びる複数の外壁３２−３６及び内壁３７−３９は、４つの載置面６１−６４の周囲に位置しており、底壁３１の上面から突出している。そのため、４つの載置面６１−６４の上方は、吸収体２８−３０を挿入可能に開放されている。吸収体２８−３０のそれぞれは、外壁３２−３６及び内壁３７−３９の一部によって囲まれることによって、前後方向８及び左右方向９に対して位置決めされている。また、各載置面６１−６４と各接続面６５−６７とが接続される箇所には、外壁３２−３６及び内壁３７−３９が存在せず、外壁３２−３６及び内壁３７−３９の間に開口部が形成されている。この開口部を介して、各載置面６１−６４から各接続面６５−６７にインクが流出可能である。なお、外壁３２−３６及び内壁３７−３９の詳細は後述される。
【００３５】
ブラックタンク載置面６１、３色タンク載置面６２、記録部載置面６３、及び給送部載置面６４には、ブラックタンク吸収体２７、３色タンク吸収体２８、記録部吸収体２９、及び給送部吸収体３０がそれぞれ載置されている。ブラックタンク吸収体２７、３色タンク吸収体２８、記録部吸収体２９、及び給送部吸収体３０は、それぞれに、ブラックタンク載置面６１、３色タンク載置面６２、記録部載置面６３、及び給送部載置面６４のほぼ全面を覆っている。
【００３６】
ブラックタンク吸収体２７、３色タンク吸収体２８、記録部吸収体２９、及び給送部吸収体３０の上方には、ブラックタンク１８、３色タンク１９、記録部２０、及び給送部２１がそれぞれ位置している。
【００３７】
図５に示されるように、複数の内壁３７−３９は、３つの接続面６５−６７の周囲に位置しており、底壁３１の上面から突出している。そのため、３つの接続面６５−６７の上方は、開放されている。各接続面６５−６７と各接続面６５−６７を囲む内壁３７−３９とによって画定される空間が、インクを流通する流体流路である。下カバー１３は、流体流路として、左流路７３（第１流路の一例）、右流路７４（第１流路の一例）、及び後流路７５（第２流路の一例）を備えている。
【００３８】
左接続面６５は、前後方向８に延びて、ブラックタンク載置面６１及び記録部載置面６３を接続している。右接続面６６は、前後方向８に延びて、３色タンク載置面６２及び記録部載置面６３を接続している。後接続面６７は、前後方向８に延びて、記録部載置面６３及び給送部載置面６４を接続している。
【００３９】
下カバー１３の複数の外壁３２−３６は、底壁３１の外縁に沿って配置されており、右前外壁３２、左前外壁３３、右外壁３４、左外壁３５、及び後外壁３６からなる。右前外壁３２は、底壁３１の右端部且つ前端部に位置している。左前外壁３３は、底壁３１の左端部且つ前端部に位置している。右外壁３４は、底壁３１の右端部に位置し前後方向８に沿って延びている。左外壁３５、底壁３１の左端部に位置し前後方向８に沿って延びている。後外壁３６は、底壁３１の後端部に位置し左右方向９に沿って延びている。右前外壁３２及び左前外壁３３は、右外壁３４、左外壁３５、及び後外壁３６よりも上方まで延びている。
【００４０】
下カバー１３の複数の内壁３７−３９は、前内壁３７、右内壁３８、及び左内壁３９からなる。
【００４１】
前内壁３７は、第１右壁部４０、第１左壁部４１、第１右前壁部４２、第１左前壁部４３、第２右壁部４４、第２左壁部４５、及び第１中壁部４６を有している。第１右壁部４０及び第１左壁部４１は、底壁３１の前端から後方に延び、それぞれ左右に位置している。第１右前壁部４２は、第１右壁部４０の後端から右方に延びている。第１左前壁部４３は、第１左壁部４１の後端から左方に延びている。第２右壁部４４は、第１右前壁部４２の右端から後方に延びている。第２左壁部４５は、第１左前壁部４３の左端から後方に延びている。第１中壁部４６は、左右方向９に延びて、第２右壁部４４及び第２左壁部４５の後端部同士を接続している。
【００４２】
右内壁３８は、第２右前壁部４７と、第３右壁部４８と、を備えている。第２右前壁部４７は、左右方向９に沿って第１右前壁部４２と間隔を空けて並んでおり、右外壁３４に接続されている。第３右壁部４８は、第２右前壁部４７の左端から後方に延びて、後外壁３６に接続されている。
【００４３】
左内壁３９は、第２左前壁部４９、第２左壁部５０、第２中壁部５１、第４右壁部５２、第３中壁部５３、及び第３左壁部５４を備えている。第２左前壁部４９は、左右方向９に沿って第１左前壁部４３と間隔を空けて並んでおり、左外壁３５に接続されている。第２左壁部５０は、第２左前壁部４９の右端から後方に延びている。第２中壁部５１は、第２左壁部５０の後端から右方に延びている。第４右壁部５２は、第２中壁部５１の右端から後方に延びている。第３中壁部５３は、第２中壁部５１の後端から左方に延びている。第３左壁部５４は、第３中壁部５３の左端から後方に延びて、後外壁３６に接続されている。
【００４４】
ブラックタンク載置面６１は、左前外壁３３、第１左壁部４１、第１左前壁部４３、第２左前壁部４９、及び左外壁３５によって囲まれている。３色タンク載置面６２は、右前外壁３２、第１右壁部４０、第１右前壁部４２、第２右前壁部４７、及び右外壁３４によって囲まれている。記録部載置面６３は、第１中壁部４６、第３右壁部４８、第２左壁部５０、及び第２中壁部５１によって囲まれている。給送部載置面６４は、第３中壁部５３、第３右壁部４８、第３左壁部５４、及び後外壁３６によって囲まれている。
【００４５】
左接続面６５は、第２左壁部４５及び第２左壁部５０によって囲まれている。左流路７３は、左接続面６５、第２左壁部４５、及び第２左壁部５０によって画定された空間である。右接続面６６は、第３右壁部４８及び第２右壁部４４によって囲まれている。右流路７４は、右接続面６６、第３右壁部４８、及び第２右壁部４４によって画定された空間である。後接続面６７は、第３右壁部４８及び第４右壁部５２によって囲まれている。後流路７５は、後接続面６７、第３右壁部４８、及び第４右壁部５２によって画定された空間である。
【００４６】
図６に示されるように、３色タンク載置面６２は、上下方向７において、記録部載置面６３よりも高い位置に位置している。右接続面６６は、３色タンク載置面６２から記録部載置面６３に向かって下方に傾斜している。本実施形態では、記録部載置面６３及び給送部載置面６４は、上下方向７において、同じ高さに位置している。後接続面６７も、記録部載置面６３及び給送部載置面６４と同じ高さに位置している。また、ブラックタンク載置面６１は、３色タンク載置面６２と同じ高さに位置しており、記録部載置面６３よりも高い位置に位置している。左接続面６５は、ブラックタンク載置面６１から記録部載置面６３に向かって下方に傾斜している。また、各吸収体２７−４０は、外壁３２−３６及び内壁３７−３９内に配置可能な高さまで設けられている。そのため、各吸収体２７−４０の上端位置は、外壁３２−３６及び内壁３７−３９の上端にまで達していることが好ましい。
【００４７】
［第１実施形態の作用効果］
第１実施形態に係るプリンタ１０によれば、下カバー１３が左流路７３及び右流路７４を有しているので、ブラックタンク１８又は３色タンク１９から漏れたインクの量が多くなり、ブラックタンク吸収体２７又は３色タンク吸収体２８が吸収しきれないインクが溢れても、この溢れたインクが左流路７３及び右流路７４を伝って記録部吸収体２９に到達して吸収される。ブラックタンク吸収体２７又は３色タンク吸収体２８及び記録部吸収体２９の双方が、ブラックタンク１８又は３色タンク１９から漏れたインクを吸収できるので、ブラックタンク１８又は３色タンク１９から漏れたインクがプリンタ１０の外部に漏出しない。また、ブラックタンク吸収体２７又は３色タンク吸収体２８及び記録部吸収体２９は下カバー１３の一部に設けられるので、ブラックタンク吸収体２７又は３色タンク吸収体２８及び３色タンク吸収体２８が配置されていない箇所には別の構成部品を配置することができる。その結果、下カバー１３の全体に吸収体が設けられる場合と比べて、プリンタ１０の大型化が抑制されている。
【００４８】
また、ブラックタンク吸収体２７又は３色タンク吸収体２８から溢れたインクが、重力により記録部載置面６３の方へ力を受けるので、溢れたインクが、左流路７３及び右流路７４を伝って記録部吸収体２９に流れやすい。
【００４９】
また、ブラックタンク１８又は３色タンク１９から漏れたインクがブラックタンク吸収体２７又は３色タンク吸収体２８から溢れても、この溢れたインクが記録部吸収体２９だけでなく給送部吸収体３０にも吸収される。
【００５０】
［第２実施形態］
図７、図８を参照して、第２実施形態に係るプリンタ１０が説明される。第２実施形態では、左接続面６５、右接続面６６、及び後接続面６７に、左吸収体６８（第１補助吸収体の一例）、右吸収体６９（第１補助吸収体の一例）、及び後吸収体７０（第２補助吸収体の一例）がそれぞれ載置されている。第２実施形態におけるその他の構成は第１実施形態の構成と同様なので、詳細な説明が省略される。
【００５１】
左吸収体６８、右吸収体６９、及び後吸収体７０は、いずれも、ブラックタンク吸収体２７と同様に、インク等の液体を吸収可能且つ保持可能な材料で構成された板材である。左吸収体６８、右吸収体６９、及び後吸収体７０はそれぞれ、左接続面６５、右接続面６６、及び後接続面６７の全面を覆っている。
【００５２】
［第２実施形態の作用効果］
第２実施形態に係るプリンタ１０によれば、ブラックタンク吸収体２７又は３色タンク吸収体２８から溢れたインクが、記録部吸収体２９だけでなく左吸収体６８又は右吸収体６９にも吸収されうる。
【００５３】
また、ブラックタンク吸収体２７又は３色タンク吸収体２８から溢れたインクが、記録部吸収体２９だけでなく後吸収体７０にも吸収されうる。
【００５４】
［変形例］
第１及び第２実施形態に係るプリンタ１０では、ブラックタンク載置面６１及び３色タンク載置面６２は、記録部載置面６３よりも高い位置にあるが、ブラックタンク載置面６１及び３色タンク載置面６２は、記録部載置面６３と同じ高さにあってもよい。
【００５５】
第１及び第２実施形態に係るプリンタ１０では、ブラックタンク載置面６１が記録部載置面６３よりも高い位置にあり、左接続面６５及び右接続面６６は傾斜面である。この構成に代えて、左接続面６５がブラックタンク載置面６１と同じ高さ位置にあって、左接続面６５と記録部載置面６３との間に上下方向７で段差が設けられてもよい。あるいは、左接続面６５が記録部載置面６３と同じ高さ位置にあって、ブラックタンク載置面６１と左接続面６５との間に上下方向７で段差が設けられてもよい。同様に、右接続面６６が３色タンク載置面６２と同じ高さ位置にあって、右接続面６６と記録部載置面６３との間に上下方向７で段差が設けられてもよい。あるいは、右接続面６６が記録部載置面６３と同じ高さ位置にあって、３色タンク載置面６２と右接続面６６との間に上下方向７で段差が設けられてもよい。
【００５６】
第１及び第２実施形態に係るプリンタ１０では、ブラックタンク載置面６１及び３色タンク載置面６２は、記録部載置面６３を介して給送部載置面６４に接続されているが、ブラックタンク載置面６１及び３色タンク載置面６２は、記録部載置面６３を介することなく直接に給送部載置面６４に接続されてもよい。
【００５７】
第１及び第２実施形態に係るプリンタ１０では、記録部載置面６３及び給送部載置面６４は同じ高さにあるが、記録部載置面６３は、給送部載置面６４よりも高い位置に設けられてもよい。
【００５８】
第１及び第２実施形態に係るプリンタ１０では、第１流路（左流路７３、右流路７４）及び第２流路（後流路７５）は、接続面（左接続面６５など）及び壁部（第２左壁部４５、第２左壁部５０など）によって画定された空間である。このような構成に代えて、第１流路及び第２流路は、下カバー１３の上面に形成された凹部又は一対の平行な凸部の間に形成された溝であってもよい。
【００５９】
第１及び第２実施形態に係るプリンタ１０は、インクを貯留する液体貯留部として、インクを補充可能なブラックタンク１８及び３色タンク１９を備えている。ブラックタンク１８及び３色タンク１９は、通常の使用時にユーザが着脱できる構成ではなく、タンク内のインクが減少した場合には外部からインクが補充されるタンクである。この構成に代えて、プリンタ１０は、液体貯留部として、インクを貯留し且つプリンタ１０に着脱可能に設けられるインクカートリッジを備えてもよい。インクカートリッジは、通常の使用時にユーザによって着脱される構成であり、内部のインクが消費されると、新たなインクカートリッジに交換されるものである。
【符号の説明】
【００６０】
１０・・・プリンタ（画像記録装置）
１３・・・下カバー
１８・・・ブラックタンク（液体貯留部）
１９・・・３色タンク（液体貯留部）
２０・・・記録部
２１・・・給送部
２７・・・ブラックタンク吸収体（第１吸収体）
２８・・・３色タンク吸収体（第１吸収体）
２９・・・記録部吸収体（第２吸収体）
３０・・・給送部吸収体（第３吸収体）
６１・・・ブラックタンク載置面（第１載置面）
６２・・・３色タンク載置面（第１載置面）
６３・・・記録部載置面（第２載置面）
６４・・・給送部載置面（第３載置面）
６８・・・左吸収体（第１補助吸収体）
６９・・・右吸収体（第１補助吸収体）
７０・・・後吸収体（第２補助吸収体）
７３・・・左流路（第１流路の一例）
７４・・・右流路（第１流路の一例）
７５・・・後流路（第２流路の一例）
【図１】
2018122505.tif 000003
【図２】
2018122505.tif 000004
【図３】
2018122505.tif 000005
【図４】
2018122505.tif 000006
【図５】
2018122505.tif 000007
【図６】
2018122505.tif 000008
【図７】
2018122505.tif 000009
【図８】
2018122505.tif 000010